(57)【要約】空中ケーブル(53)を持ち上げる可搬式の伸縮持ち上げ装置(1)を提供する。本装置(1)は、管状ハウジング(2)と、ハウジング(2)から展開可能で、ハウジング(2)内に格納可能な第１及び第２の伸縮部材(3,4)と、伸縮部材(3,4)を展開し、格納するための駆動手段(5,60)とを具備し、ケーブル連結部材(51)は、１本又はそれ以上の空中ケーブル(53)を持ち上げるための第２の伸縮部材(4)に取り付けられる。駆動手段(5,60)は、チェーンレバーブロック(5)及びプーリ(60)を有する。使用において、装置(1)は、１本又はそれ以上の空中ケーブル(53)の下に配置され、チェーンレバーブロック(5)は、第1の伸縮部材(3)を持ち上げるために用いられ、第1の伸縮部材(3)は、ハウジング(2)の内部から展開し、第２の伸縮部材(4)は、第１の伸縮部材(3)の内部から展開し、ケーブル連結部材(51)は、ケーブル(53)を持ち上げる。
2005519570.tif 000002
【特許請求の範囲】
【請求項１】
少なくとも１本の空中ケーブルを持ち上げるための可搬式の装置であって、細長いハウジングと、少なくとも細長いハウジングから拡張可能で、該ハウジングへ格納可能な第１の伸縮部材と、第1の伸縮部材を展開し、格納するための細長いハウジングで操作可能な駆動手段と、第1の伸縮部材が展開したときに、少なくとも１本の空中ケーブルを持ち上げるために第１の伸縮部材によって位置決めされる、少なくとも１本のケーブル連結部材とを含む装置。
【請求項２】
駆動手段が細長いハウジングに取り付けられたチェーンレバーブロックを有し、チェーンレバーブロックのチェーンが第1の伸縮部材の下端に取り付けられる請求項１に記載の装置。
【請求項３】
チェーンレバーブロックのブロックが細長いハウジングの内部に位置し、チェーンレバーブロックの操作レバーが細長いハウジング内から伸び、細長いハウジングがブロックの両側から懸架しているチェーン部分を含む、着脱可能なコンパートメントを有する請求項２に記載の装置。
【請求項４】
細長いハウジングが、第1の伸縮部材のための内部ガイドを有する請求項３に記載の装置。
【請求項５】
第1の伸縮部材から展開可能であり、第1の伸縮部材に格納可能な第２の伸縮部材をさらに含み、ケーブル連結部材が第２の伸縮部材に取り付けられる請求項２に記載の装置。
【請求項６】
駆動手段が第２の伸縮部材を展開し、格納するためのプーリをさらに有する請求項５に記載の装置。
【請求項７】
プーリが第１の伸縮部材の上端部に取り付けられる少なくとも一つのシーブを有し、プーリの伸縮可能な連結部材がシーブ周辺で展開し、第２の伸縮部材の下端及び細長いハウジングの下端に取り付けられる、それぞれの端部を有する請求項６に記載の装置。
【請求項８】
第1の伸縮部材がチェーンレバーブロックによって持ち上げられるときに、第２の伸縮部材が、第1の伸縮部材の約２倍展開する請求項７に記載の装置。
【請求項９】
ケーブル連結部材が、第２の伸縮部材の上端部に着脱自在に取り付けられるボデー、及び該ボデーから展開する頭部を有する請求項５に記載の装置。
【請求項１０】
頭部及び／又はボデーが、少なくとも１本のケーブルが連結して持ち上げられる、少なくとも一つの二又、又は凹部を有する請求項９に記載の装置。
【請求項１１】
頭部が波形表面を有し、個々の前記ケーブルを該波形表面の別個の溝の内部に収容することができる請求項１０に記載の装置。
【請求項１２】
細長いハウジングの支柱底面がくさび形であり、装置がくさびの端付近で地面に対して軸回転することができる請求項１に記載の装置。 
【請求項１３】
少なくとも１本の空中ケーブルを持ち上げるための方法であって、
ａ） ハウジングと、ハウジングから展開可能で、ハウジング内に格納可能な少なくとも一つの第１の伸縮部材と、第１の伸縮部材を展開し、格納するためにハウジングで操作可能な駆動手段と、第１の伸縮部材が展開したときに、少なくとも１本の空中ケーブルを持ち上げるために第１の伸縮部材によって位置決めすることができる、少なくとも一つのケーブル連結部材とを含む持ち上げ装置を空中ケーブルの下へ配置すること、及び
ｂ）空中ケーブルを持ち上げること、のステップを含む方法。
【請求項１４】
空中ケーブルを支持する間のみ、装置が固定されない請求項１３に記載の方法。
【請求項１５】
第１の伸縮部材から展開可能で、第１の伸縮部材に格納可能な第２の伸縮部材をさらに含み、ケーブル連結部材が第２の伸縮部材に取り付けられる請求項１３に記載の方法。
【請求項１６】
ケーブル連結部材が複数のケーブルを互いに分離して、同時に持ち上げる請求項１３に記載の方法。
【請求項１７】
装置が地面に対応して軸回転可能である請求項１３に記載の方法。
【請求項１８】
ハウジングが管状である請求項１７に記載の方法。
【請求項１９】
ハウジングの支柱底面がくさび形であり、装置がくさびの端付近で地面に対応して軸回転することができる請求項１８に記載の方法。
【発明の詳細な説明】
【技術分野】
【０００１】
本発明は、頭上の電化ケーブルのような空中ケーブルを上げるための装置及び方法に関する。特に、本発明は、１本又はそれ以上の空中ケーブルを上げるための可搬式の伸縮装置に関する。
【背景技術】
【０００２】
特大の荷物を積載しているトラックが遭遇する一般的な問題は、道に沿ったトラックの通行が頭上の電化ケーブル又は他の空中ケーブルによって妨げられることである。この問題を克服するための標準的な作業は、油圧装置（すなわち「チェリーピッカー」）を使用してケーブルを持ち上げるか、又は「リフトスティック」を手に持って、ケーブルを手動で持ち上げて保持することである。特大の荷物がケーブルの下を通過するまで、２つ以上のチェリーピッカーと２人以上の作業者が、持ち上げ位置のケーブルを持ち上げて、保持するために必要となる。複数の空中ケーブルがある場所では、ケーブルを持ち上げるために必要な作業者とチェリーピッカーの数は、一般的には増加する。
【０００３】
上記作業の欠点のいくつかは、次の通りである：長時間ケーブルを物理的に持ち上げて保持する作業者が必要であり、ケーブルは３０ｋｇもの重さにもなる；チェリーピッカーは、チェリーピッカー内部のバケットから一般的には操作されるため、作業者は、危険な通電中のケーブルの近くに位置することがある；そして、特に多くの作業者及びチェリーピッカーが必要な場合、作業は、高価で時間のかかるものとなる。
【発明の開示】
【発明が解決しようとする課題】
【０００４】
本発明は、上述した欠点の少なくとも一つを最小化又は克服する、空中ケーブルを持ち上げる可搬式の装置及び方法を提供することであり、又は公衆に有用若しくは商業的な選択を提供することを目的とする。
【課題を解決するための手段】
【０００５】
本発明の第１の形態によれば、少なくとも１本の空中ケーブルを持ち上げるための可搬式の装置であって、細長いハウジングと、少なくとも細長いハウジングから拡張可能で、該ハウジングへ格納可能な第１の伸縮部材と、第１の伸縮部材を展開し、格納するための細長いハウジングで操作可能な駆動手段と、及び第１の伸縮部材が展開したときに、少なくとも１本の空中ケーブルを持ち上げるために第１の伸縮部材によって位置決めされる、少なくとも一つのケーブル連結部材とを含む装置が提供される。
【０００６】
駆動手段にはいかなる適切な種類のものも用いることができる。駆動手段には、例えば、電動モーター、油圧モーター、エンジン、チェーンレバーブロック、手動ウインチ、昇降機、起重機又はこれら装置の適切な組み合わせが含まれる。
【０００７】
好ましくは、駆動手段は、チェーンレバーブロックを有する。チェーンレバーブロックは、細長いハウジングに取り付けることが可能であり、チェーンレバーブロックのチェーンは、第１の伸縮部材の下端に取り付けることができる。
【０００８】
チェーンレバーブロックのブロックは、細長いハウジングの内部に位置することができ、チェーンレバーブロックの操作レバーは、細長いハウジング内から展開することができる。細長いハウジングは、チェーンのもつれを防止するために、ブロックの両側から懸架するチェーンを含む部品のための、着脱可能なコンパートメントを有することができる。
【０００９】
細長いハウジングは、いかなる適切なサイズ、形状及び構造であってもよい。細長いハウジングは、好ましくは長方形の横断面である管である。細長いハウジングは、第１の伸縮部材が正確に展開し、格納することを確実にするために、内部壁又はガイドを有することができる。
【００１０】
空中ケーブルを支持する間、装置は固定されておらず、ケーブルの運動をたどるために地面に対応して軸回転することができる。細長いハウジングの支柱底面は、軸回転するために構成されることが好ましい。支柱底面は、いかなる適切な形状、サイズ及び構造であってもよい。支柱底面はくさび形であり、装置はくさびの端付近で地面に対して軸回転できることが好ましい。
【００１１】
装置は、任意の適当な数の伸縮部材を含むことができる。本発明の好ましい形態において、装置は第１の伸縮部材から展開可能で、第１の伸縮部材内に格納可能な第２の伸縮部材を有し、ケーブル連結部材は、第２の伸縮部材に取り付けられる。
【００１２】
第１及び第２の伸縮部材は、いかなる適切なサイズ、形状及び構造であってもよい。好ましくは、第１の伸縮部材は、長方形の横断面の管を含み、第２の伸縮部材は、環状の横断面を有する。
【００１３】
好ましくは、駆動手段は、さらに第２の伸縮部材を展開し、格納するためのプーリを有する。プーリは、第１の伸縮部材の上端部に取り付けられる、少なくとも一つのシーブを有することができ、プーリの伸縮自在な連結部材は、シーブの周辺に展開することが可能であり、第２の伸縮部材の下端及び細長いハウジングの下端にそれぞれ取り付けられる端部を有する。
【００１４】
この構成では、第１伸縮部材がチェーンレバーブロックによって持ち上がるときに、第２の伸縮部材は、第１の伸縮部材の約２倍展開する。伸縮自在の連結部材は、例えば、ワイヤーケーブル又はコードである。
【００１５】
装置は、チェーンレバーブロックが最初に操作されない限り、第１及び第２の伸縮部材が展開し、又は格納することができないことを確実にするためのロック機構を有することができる。あらゆる適切な種類のロック機構を用いることが可能である。
【００１６】
ケーブル連結部材は、いかなる適切なサイズ、形状及び構造であってもよい。装置がどれくらいの数の伸縮部材を有するかに依存して、ケーブル連結部材は、第２の伸縮部材又は第１の伸縮部材に取り付けることができる。ケーブル連結部材は、いかなる適切な方法によっても取り付けることが可能である。装置は、適当な数のケーブル連結部材を有することができる。
【００１７】
ケーブル連結部材は、好ましくはボデー及びボデーから展開する頭部を有する。ボデーの下端は、第２の伸縮部材の上端部に、着脱自在に取り付けることが可能である。ボデーは、ケーブル連結部材及び伸縮部材が、互いに関連して回転することができないように取り付けることが好ましい。このことは、例えば、第２の伸縮部材及びボデーにピン及びスロット配列、凸縁及び溝型配列、又は差し込みピン配列を設置することによって達成することが可能である。
【００１８】
ケーブル連結部材は、ケーブルがかみ合い、持ち上げることが可能である二又、尖った先端部、溝、チャンネル、凹部又は他のいかなる適切な構造も有することができる。装置は、ケーブル連結部材が複数の二又、溝等を有することができる場合に、いかなるときも複数のケーブルを持ち上げるために用いることができる。二又、溝等は、頭部及び／又はボデーに位置することができる。
【００１９】
本発明の一実施例において、頭部は、熊手の作業端によく似た波形表面を有し、個々のケーブルは、波形表面の別個の溝の内部に保持されることができる。この構成では、持ち上げられるときに、ケーブルは互いに分離して保持されることができる。本発明の別の実施例において、頭部及び／又はボデーは、少なくとも１本のケーブルをかみ合わせて持ち上げるための、少なくとも一つの二又又は溝を有する。
【００２０】
装置は、コンパクトで軽量であることが好ましい。装置は、いかなる適切な材料、例えば、金属、プラスチック材及び複合材のような材料から構成されることができる。電化ケーブルを持ち上げるために使われるときに、装置又はその部品は、絶縁することができる。例えば、ケーブル連結部材を絶縁することができる。
【００２１】
本発明の第二の形態によると、少なくとも１本の空中ケーブルを持ち上げるための方法であって、
ａ） ハウジングと、ハウジングから拡張可能で、ハウジング内に格納可能な少なくとも一つの第１の伸縮部材と、第１の伸縮部材を展開し、格納するためにハウジングで操作可能な駆動手段と、及び第１の伸縮部材が展開したときに、少なくとも１本の空中ケーブルを持ち上げるために第１の伸縮部材によって位置決めすることができる、少なくとも一つのケーブル連結部材とを含む持ち上げ装置を、空中ケーブルの下へ配置すること、及び
ｂ）空中ケーブルを持ち上げること、のステップを含む方法が提供される。
【００２２】
ハウジングは、いかなる適切なサイズ、形状及び構造であってもよい。ハウジングは、スタンドの形であってもよい。空中ケーブルを支持する間、装置は固定されておらず、ケーブルの運動に連動するために地面に対して軸回転することができる。ハウジングは、好ましくは管状である。
【００２３】
装置は、好ましくは、第１の伸縮部材から展開可能で、第１の伸縮部材に格納可能な第２の伸縮部材をさらに含み、ケーブル連結部材は、第２の伸縮部材に取り付けられる。
【００２４】
ケーブル連結部材は、好ましくは、複数の空中ケーブルを同時に、互いに分離して持ち上げることができる。
【００２５】
装置は、本発明の第１の形態に関して記載される他の特徴を有することもできる。
【発明を実施するための最良の形態】
【００２６】
本発明を実施するための最良の形態を、以下、図面を参照しながら説明する。全ての図面において、符号は、対応する部品に言及する。
【００２７】
最初に、図１０に関連して、細長いハウジング２、第１の伸縮部材３、第２の伸縮の部材４、ハウジング２で操作可能な駆動手段（図示せず）、及び１本又はそれ以上の空中ケーブル５３を持ち上げるためのケーブル連結部材５１を具備する、可搬式の空中ケーブル持ち上げ装置１が示される。駆動手段５は、チェーンレバーブロック５とプーリ６０とを具備している。
【００２８】
次に、図１乃至７を参照して、第１の伸縮部材３は、ハウジング２から展開可能で、ハウジング２に格納可能であり、第２の伸縮部材４は、第１の伸縮部材３から展開可能であり、第１の伸縮部材３に格納可能である。
【００２９】
図４に示すように、チェーンレバーブロック５は、ブロック６１、ブロック６１を通じて展開するチェーン１６、及びブロック６１を動かすためのレバー１２を有する。
【００３０】
ハウジング２は、管状であり、支柱底面１０、及びそこから延びている４つの側壁１１（それらのうち、いくつかのみラベルをつけられる）を有する。
【００３１】
支柱底面１０は、くさび形であり、装置１は、くさびの端について地面に対応して軸回転することができる。内部側壁１３、１８及び細長いナイロンガイド１７（それらのうち、いくつかのみラベルをつけられる）は、第１の伸縮部材３がハウジング２の内部で展開し、格納することを確実にする（図３を参照）。側壁１３及び１８は、支柱底面１０からブロック６１の下の位置まで展開する。側壁１１、１３、１８は、共に２つのコンパートメント１４及び１５を提供する。コンパートメント１４及び１５は、チェーン１６のもつれを防止するために、ブロック６１の両側から懸架しているチェーン１６の一部を集めて、収容する。持ち上げフランジ２０は、側壁１３及び１８間にある第１の伸縮部材３の下端から展開し、チェーン１６は、フランジ２０に取り付けられる。ブロック５は、それに対する軸回転のために、ハウジング２の側壁１１に設置される。レバー１２は、側壁１１から展開する。
【００３２】
第１の伸縮部材３は、長方形の横断面を有する管を有し、第２の伸縮部材４は、環状の横断面の管を有する。ハウジング２及び伸縮部材３、４は、荷重下で載置されても曲がらないアルミニウム又は複合材（例えば、ケブラー(登録商標)）から構成される。図３及び５に示すように、ピン４０は、第２の伸縮部材４の上部域をまっすぐに横切る。図３に示すように、持ち上げフランジ４２は、第２の伸縮部材４の下部域から展開する。フランジ４２は、第２の伸縮部材４が、第１の伸縮部材３の内部で回転するのを防止する。
【００３３】
次に、図３乃至７を参照して、プーリ６０は、主要シーブ３０、二つの補助的な小型シーブ３１及びワイヤーケーブル３４を含む。図４及び５に示すように、アングルブラケット３３は、第１の伸縮部材３の前部側壁３２にシーブ３０及び３１を取り付ける。前部側壁３２は、シーブ３１を展開する一対のスリット（図示せず）を有する。ケーブル３４は、各々のシーブ３０、３１及びスリット周辺で部分的に展開する。図６及び７に示すように、ケーブル３４の一端３５は、フランジ４２に取り付けられ、ケーブル３４の他端３６は、ハウジング２の支柱底面１０に取り付けられ、その結果、第１の伸縮部材３が展開するときに、第２の伸縮部材４も同様に展開する。
【００３４】
図８乃至１０は、空中ケーブル５３を持ち上げるためのケーブル連結部材５０、５１、５２の異なる種類を示す。各々の部材５０、５１、５２は、円筒形ボデー５７及び１本１本又はそれ以上のケーブル５３をかみ合わせるための頭部７０から基本的に構成される。ボデー５７の下端は、第２の伸縮部材４の内部で嵌合し、ピン４０を保持する溝穴５４を有する。ピン４０は、部材５０が回転するのを防止する。
【００３５】
部材５０の頭部７０は、単独のケーブル５３を持ち上げるための二又５５を有する。ボデー５７から展開する（第２のケーブル５３のための）第２の二又５６を有するという点で、部材５２は、部材５０と異なる。その頭部７０が波形表面５８を有するという点で、部材５１は、部材５０及び５２と異なる。波形表面５８の各々の溝５９は、ケーブル５３を保持することができる。
【００３６】
波形表面５８は、複数のケーブル５３がいかなるときにも持ち上げられて、互いに分離された状態に維持されることを可能にする。
【００３７】
使用において、伸縮部材３、４を完全に格納した装置１は、持ち上げることを必要とする１本又はそれ以上の空中ケーブル（例えば、頭上の電線）の下に配置され、その結果、例えば、特大の荷物を積載しているトラックは、その下を通過できる。適切なケーブル連結部材５０、５１、５２は、第２の伸縮部材４に取り付けられる。チェーンレバーブロック５が操作されると、第１の伸縮部材３は、ハウジング２内部から展開し、第２の伸縮部材４は、第１の伸縮部材３から展開する。複数のケーブルを持ち上げることが必要な場合、部材５１又は５２のいずれかが使用される。１本のケーブルを持ち上げることが必要な場合、部材５０乃至５２のいずれか一つが使用される。特大の荷物の頂部とケーブルの間に充分な隙間が存在する間、伸縮部材３、４は展開する。伸縮部材３、４が偶然に格納されることができないように、チェーンレバーブロック５は、ロックされる。電化ケーブルを持ち上げたならば、装置１は、絶縁される。例えば、ケーブル連結部材５０、５１、５２及び／又は第２の伸縮部材４は、不導体材料から構成するか、又はゴムにより絶縁することができる。
【００３８】
トラックがケーブルの下を通過した後、伸縮部材３、４は格納され、部材５０、５１、５２は、取り外してもよい。
【００３９】
一旦空中ケーブルが持ち上げられると、装置１は固定されず、装置１は必要に応じて、地面に対して軸回転することができる。軸回転作用は、装置１が持ち上げられたケーブル（例えば、ケーブルに風が吹きつけられて揺れているような）の動きをたどることを可能とし、装置１にかかる曲げモーメントを減少させる。
【００４０】
本発明の利点には、以下の様なことが含まれる。装置は、いかなるときも１本又はそれ以上のケーブルを持ち上げるために用いることができる。ケーブルを保持する間、装置が固定されていないため、他のケーブルを、追加の同類装置を使用している単独の作業者によって持ち上げることが可能である。小さな支柱底面を有するために、装置は平坦でない又は傾斜した土地でも使用することができる。格納された状態で、装置を容易に扱い、移動し、保管することができる。持ち上げ状態において、作業者は、ケーブルを持ち上げて、保持するために体力を要しない。装置が地上で操作可能であるため、作業者が電化ケーブルの付近にいる必要がない。チェリーピッカーのような専門機械が必要ない。精度及び制御の程度が高く、時間効率的な方法で装置を配置し、展開することができる。
【００４１】
上記が本発明の実施例として与えられる一方、本願明細書において述べられるような本発明の広い目的及び範囲から逸脱することなく、多くの修正及び変更が当業者によってなされるであろう。
【図面の簡単な説明】
【００４２】
【図１】本発明の実施例に従った、完全に展開された状態における可搬式の空中ケーブル持ち上げ装置の一部の正面図である。
【図２】完全に格納された状態における図１の装置を示す図である。
【図３】図１に示される装置の一部の平面図である。
【図４】図３に示される装置の平面Ａ−Ａに沿った側面断面図である。
【図５】図３に示される装置の平面Ｂ−Ｂに沿った側面断面図である。
【図６】図３に示される装置の平面Ｃ−Ｃに沿った正面断面図である。
【図７】図１に示される装置の一部の部分的に詳細な正面図である。
【図８】本発明の一実施例による、図１に示される装置のためのケーブル連結部材の正面図である。
【図９】本発明の一実施例による、図１に示される装置のためのケーブル連結部材の正面図である。
【図１０】本発明の一実施例による、ケーブル連結部材を有する図１に示される装置の一部の正面図である。
【図１】
2005519570.tif 000003
【図２】
2005519570.tif 000004
【図４】
2005519570.tif 000005
【図３】
2005519570.tif 000006
【図５】
2005519570.tif 000007
【図６】
2005519570.tif 000008
【図７】
2005519570.tif 000009
【図８】
2005519570.tif 000010
【図９】
2005519570.tif 000011
【図１０】
2005519570.tif 000012
【国際調査報告】
2005519570.tif 000013
2005519570.tif 000014
2005519570.tif 000015